(57)【要約】【課題】スポーツウェア等において、フード、袖、裾、ウエストの縁部等に配置されるウェアの締付け用紐や絞込み用紐が、その端部でウェアの外部に延出してフリー状態になり、リフトの乗降時にリフトや、その他の機材に引っかけて思わぬ事故を起こすことを防止する。【解決手段】ウェアにおけるフード、袖、裾、ウエストの縁部を締付け、或いは絞るための紐部を設け、該紐部は前記縁部を構成する生地の内部に通されて縁部周りに内蔵されており、該紐の両端部はウェアの縁部近傍位置に設置され外部から摺動操作のできるスライダー構造体にそれぞれ連結されていて、前記縁部に内蔵された紐の両端をそれぞれファスナーの摺動操作にて引っぱり、または緩めることにより縁部の締付けや絞り操作、並びに前記締付けや絞り操作の解放を行うこと。【選択図】図１
0003141180.tif 000002
【実用新案登録請求の範囲】
【請求項１】
ウェアにおけるフード、袖、裾、ウエストの縁部を締付け、或いは絞るための紐部において、
該紐部は前記縁部を構成する生地の内部に通されて縁部周りに内蔵されており、
該紐部の両端部はウェアの縁部近傍位置に設置され外部から摺動操作のできる溝やレールによるスライダー構造体にそれぞれ連結されていて、
前記縁部に内蔵された紐部の両端をそれぞれスライダー構造体の摺動操作にて引っぱり、または緩めることにより縁部の締付けや絞り操作、並びに前記締付けや絞り操作の解放を行うこと、
を特徴とするスポーツウェアの縁部締付け構造。
【請求項２】
ウェアにおけるフード、袖、裾、ウエストの縁部を締付け、或いは絞るための紐部において、
該紐部は前記縁部を構成する生地の内部に通されて縁部周りに内蔵されており、
該紐部の一端部はウェア生地の縁部近傍に縫着され他端は縁部近傍位置に設置され外部から摺動操作できる溝やレールによるスライダー構造体に連結されていて、
前記縁部に内蔵された紐部の一端部をスライダー構造体の摺動操作にて引っぱり、または緩めることにより前記縁部の締付けや絞り操作、並びに前記締付けや絞り操作の解放を行うこと、
を特徴とするスポーツウェアの縁部締付け構造。
【請求項３】
ウェアにおけるフード、袖、裾、ウエストの縁部を締付け、或いは絞るための紐部、
該紐部の両端部は縁部の終了点近傍でウェア生地に縫着されていると共に、該紐部は縁部を構成する生地の内部に通されて縁部周りに内蔵されており、該紐部の中心部において外部から摺動操作できるスライダー構造体に連結されていて、
前記縁部に内蔵された紐部の中心部をスライダー構造体の摺動操作にて引っぱり、または緩めることにより前記縁部の締付けや絞り操作、並びに前記締付けや絞り操作の解放を行うこと、
を特徴とするスポーツウェアの縁部締付け構造。
【請求項４】
前記ウェアにおけるフード、袖、裾、ウエストの縁部を締付け、或いは絞るための紐部は、断面丸形状または帯形状の紐、或いは断面丸形状または帯形状のゴム紐であること、
を特徴とする請求項１乃至請求項３の何れかに記載のスポーツウェアの縁部締付け構造。
【請求項５】
前記ウェアの縁部に内蔵された紐部の一端部、または両端部をスライダー構造体の摺動操作にて引っぱり、または緩めることにより前記縁部の締付けや絞り操作、並びに該操作の解放を行うに際して、
該スライダー構造体の設置位置は前記紐部の引っぱり、または緩める方向に対して少なくとも９０度以上その方向を変えて設置されることにより前記紐部の引っぱり行程をウェア生地内で最大限大きく取ったこと、
を特徴とする請求項１乃至請求項４の何れかに記載のスポーツウェアの縁部締付け構造。
【請求項６】
前記ウェアの縁部に内蔵された紐部の一端部、または両端部を該スライダー構造体の摺動操作にて引っぱり、または緩めることにより縁部の締付けや絞り操作、並びに該操作の解放を行うに際して、
前記紐部が連結されるスライダー構造体はファスナーや止水ファスナーを使用し、該ファスナーにはそれぞれファスナースライダーのストッパー機構がついているものを用いること、
を特徴とする請求項１乃至請求項５の何れかに記載のスポーツウェアの縁部締付け構造。
【考案の詳細な説明】
【技術分野】
【０００１】
本考案は、スポーツウェア、特にスキーウェアにおけるフード、袖、裾、ウエスト等、縁部の締付け、或いは絞り構造に関するものである。
【０００２】
スポーツウェア全般で、特にスキーウェア、ウインドヤッケ、ウインドブレーカー等におけるフード、袖、裾、ウエスト等、ウェア端部を構成する縁部は、天候や使用場所、そして着用者の体形に合わせて縁部を締付け、或いは絞り込んで使用できるように、マジックテープや留めボタンタブ、そして締付け用の紐を縁部に通しているものがある。
【０００３】
而して、本考案は、上記縁部の締め付け構造の内、ウェアのフード、袖、裾、ウエストの縁部に締付け、或いは絞り用の紐を用いたものに関するものである。
【０００４】
上述した締付け、或いは絞り用の紐を縁部に通して内蔵している構造のものは、該締付け用紐の結び部（結び代）や、引っぱり代を必要として、紐の端部がウェアの外部にかなりの長さで延出している場合が多く、締付け用紐の結び部や引っぱり代を有した端部が、特にスキーウェアにおいては、リフトの乗降時にリフトや他の機材等に引っかかって思わぬ事故をおこすことがあり、ウェア縁部に装着されている縁部締付け、並びに絞り込み用の紐部の改良が安全上の重要課題になっている。
【０００５】
従って、次項では、スキーウェアにおいて、従来の現況と改良されて実施されている縁部の締付け構造を図７、及び図８に基づいて説明する。
【０００６】
図７は、従来のスキーウェア本体５０を示す正面図であり、該ウェア本体５０は、上衣５１とフード５２からなり、上衣５１のウエスト周り部５３には、該ウエスト周り部５３に沿って締付け用紐５４が縫製された生地５５内を通して内蔵されていて、上衣５１の左身頃端部５６、並びに右身頃端部５７よりウェア本体５０の外部に延出しており、該締付け用紐５４の両端部５８ａ、５８ｂは、結び部（結び代）や引っぱり代を必要とするために、かなりの長さを有して上衣５１の外部に延出した構成となっている。
【０００７】
また、前記スキーウェア本体５０のフード５２においては、フード縁部５９に沿ってフード絞込み用紐６０が縫製された生地５５内を通して内蔵されていて、該フード絞込み用紐６０の両端部６１ａ、６１ｂはそれぞれフード５２の端部から外部に延出している。
【０００８】
そして、フード５２のフード絞込み用紐６０の両端部６１ａ、６１ｂは、スキーウェア本体５０の着用者がフード縁部５９の絞り込み操作や、フード絞込み用紐６０の結び操作がしにくい首部近傍にあることもあって、結び部（結び代）や、引っぱり代として、かなり長めに設定されているのが現況である。
【０００９】
而して、図７に示した従来のスキーウェアにおいては、例えば、上衣５１のウエスト周り部５３に設けられた締付け用紐５４の両端部５８ａ、５８ｂが上衣５１の外部に延出していること、並びにフード縁部５９に沿って設けられたフード絞込み用紐６０の両端部６１ａ、６１ｂが着用者の首部近傍で、かなり長めに延出している点で、安全上大きな欠点を有している。
【００１０】
即ち、上述したスキーウェア本体５０における締付け用紐５４、並びにフード絞込み用紐６０の両端部構造は、従来のスキーウェアがリフトの乗降時にリフトや、その他の機材に紐を引っかけて思わぬ事故を起こしており、ウェア縁部に装着されている縁部締付け、或いは絞り込み用の紐部の改良が安全上の重要課題になっている。
【００１１】
斯くして、図８は、図７にて説明したフード絞込み用紐部の改良された従来例を説明するもので、図８はスキーウェア本体５０のフード５２を側面図として拡大したもので、対向する他の側面形状においても（図示せず）同様の構成要件有している。
【００１２】
図８において、５２はフード、５５はフードを構成する生地、５９はフード縁部、６０はフード絞り込み用紐であり、該フード絞り込み用紐６０はフード縁部５９に沿って縫製された生地５５内に内蔵され、フード５２の下方端部６２ａ、６２ｂよりフード５２の外部に飛び出して、それぞれのストッパー６３ａ、６３ｂを貫通してフード５２の襟元部６４ａ、６４ｂに設けられた係止具６５ａ、６５ｂに端部を係止されている。
【００１３】
また、図８において、フード絞り込み用紐６０を貫通しているストッパー６３ａ、６３ｂはスプリングを内装したプッシュボタン６６ａ、６６ｂ付きのストッパーで、該プッシュボタン６６ａ、６６ｂは押すことで貫通している絞り込み用紐６０を絞り込み自由の開口状態にでき、また該プッシュボタン６６ａ、６６ｂはそれぞれのプッシュボタンを離すことで絞り込み用紐６０を摺動停止の係止状態にできるものであり、該ストッパー６３ａ、６３ｂは取付用平紐６７ａ、６７ｂを介してフード縁部５９の近傍にそれぞれ縫着されている。
【００１４】
従って、改良型従来例においては、フード絞り込み用紐６０が一般的スキーウェアの如く、それぞれの紐両端部でかなりの長さを有して自由に延出していることがなくなり、ウェアの安全性を確保して、それなりの効果を発揮できるようになった。
【００１５】
然しながら、図８の改良型従来例においては、フード絞り込み用紐６０が、フード絞込みにより湾曲したたるみ紐６８となって、ストッパー６３ａと係止具６５ａ間に存在してしまう。
【００１６】
そして、前記湾曲したたるみ紐６８はフード５２の生地５５との間にスキー用具や金具等を引っかけ易いループ形状やリング形状物を構成してしまう欠点を生じせしめてしまう。
【考案の開示】
【考案が解決しようとする課題】
【００１７】
斯くして、従来の一般的なスキーウェアは、上衣５１のウエスト周り部５３に設けられた締付け用紐５４の両端部５８ａ、５８ｂが上衣５１の外部に延出していること、並びにフード縁部５９に沿って設けられたフード絞込み用紐６０の両端部６１ａ、６１ｂが着用者の首部近傍でかなり長めに延出しているために、締付け用紐５４、並びにフード絞込み用紐６０の両端部がリフトの乗降時にリフトや、その他の機材に紐を引っかけて思わぬ事故を起こすという大きな欠点があった。
【００１８】
また、従来の一般的なスキーウェアの欠点を解決すべく考案された改良型従来例においては、フード絞り込み用紐６０が一般的スキーウェアの如く、紐両端部でかなりの長さを有して自由に延出していることがなくなり、ウェアの安全性を確保してそれなりの効果を発揮できるようになった。
【００１９】
然しながら、改良型従来例においては、フード絞り込み用紐６０がフード絞込みにより湾曲したたるみ紐６８となって、ストッパー６３ａと係止具６５ａ間に存在してしまうために、湾曲したたるみ紐６８は、フード５２の生地５５との間にスキー用具や金物等を引っかけ易いループ形状やリング形状物を構成してしまうという新しい欠点を生じさせてしまう。
【００２０】
本考案が解決しようとする課題は、スポーツウェア、特にスキーウェアにおいて、フード、袖、裾、ウエストの縁部等に配置される当該部位の締付け用紐、または絞込み用紐がそれぞれの端部において、スキーウェアの外部に延出してフリー状態になり、該締付け用紐、または絞込み用紐が、リフトの乗降時にリフトや、その他の機材に引っかけて思わぬ事故を起こすことを防止することにある。
【課題を解決するための手段】
【００２１】
本考案は、課題を解決するための手段として、ウェアにおけるフード、袖、裾、ウエストの縁部を締付け、或いは絞るための紐部を設け、該紐部は前記縁部を構成する生地の内部に通されて縁部周りに内蔵されており、該紐部の両端部はウェアの縁部近傍位置に設置され外部から摺動操作のできる溝やレールによるスライダー構造体にそれぞれ連結されていて、前記縁部に内蔵された紐部の両端をそれぞれスライダー構造体の摺動操作にて引っぱり、または緩めることにより縁部の締付けや絞り操作、並びに前記締付けや絞り操作の解放を行うことを特徴とするスポーツウェアの縁部締付け構造を提供する。
【００２２】
また、本考案は、課題を解決するための手段として、ウェアにおけるフード、袖、裾、ウエストの縁部を締付け、或いは絞るための紐部において、該紐部は前記縁部を構成する生地の内部に通されて縁部周りに内蔵されており、該紐部の一端部はウェア生地の縁部近傍に縫着され他端は縁部近傍位置に設置され外部から摺動操作できる溝やレールによるスライダー構造体に連結されていて、前記縁部に内蔵された紐部の一端部をスライダー構造体の摺動操作にて引っぱり、または緩めることにより前記縁部の締付けや絞り操作、並びに前記締付けや絞り操作の解放を行うことを特徴とするスポーツウェアの縁部締付け構造を提供する。
【００２３】
更に、本考案は、課題を解決するための手段として、ウェアにおけるフード、袖、裾、ウエストの縁部を締付け、或いは絞るための紐部、該紐部の両端部は縁部の終了点近傍でウェア生地に縫着されていると共に、該紐部は縁部を構成する生地の内部に通されて縁部周りに内蔵されており、該紐部の中心部において外部から摺動操作できるスライダー構造体に連結されていて、前記縁部に内蔵された紐部の中心部をスライダー構造体の摺動操作にて引っぱり、または緩めることにより前記縁部の締付けや絞り操作、並びに前記締付けや絞り操作の解放を行うことを特徴とするスポーツウェアの縁部締付け構造を提供する。
【００２４】
斯くして、本考案においてウェアにおけるフード、袖、裾、ウエストの縁部を締付け、或いは絞るための紐部は、断面丸形状または帯形状紐、或いは断面丸形状または帯形状のゴム紐であることが好ましい。
【００２５】
また、本考案は、ウェアの縁部に内蔵された紐部の一端部、または両端部をスライダー構造体の摺動操作にて引っぱり、または緩めることにより前記縁部の締付けや絞り操作、並びに該操作の解放を行うに際して、該スライダー構造体の設置位置は前記紐部の引っぱり、または緩める方向に対して少なくとも９０度以上その方向を変えて設置されることにより前記紐部の引っぱり行程をウェア生地内で最大限大きく取った構成が好ましい。
【００２６】
更に、本考案は、ウェアの縁部に内蔵された紐部の一端部、または両端部を該スライダー構造体の摺動操作にて引っぱり、または緩めることにより縁部の締付けや絞り操作を行うに際して、前記紐部が連結されるスライダー構造体はファスナーや止水ファスナーを使用し、該ファスナーにはそれぞれファスナースライダーのストッパー機構がついているものを用いる構成が好ましい。
【考案の効果】
【００２７】
而して、本考案は、ウェアにおけるフード、袖、裾、ウエストの縁部を締付け、或いは絞るために紐部を設け、該紐部は前記縁部を構成する生地の内部に通して縁部に内蔵されており、該紐部の両端部はウェアの縁部近傍位置に設置され外部から摺胴操作のできるスライダー構造体にそれぞれ連結されていて、前記縁部に内蔵された紐部の両端をそれぞれスライダー構造体の摺動操作にて引っぱり、または緩めることにより縁部の締付けや絞り操作を行うことを特徴とするスポーツウェアの縁部締付け構造を提供し、ウェアの外部に延出する縁部を締付け、或いは絞るための紐を無くすことができ、所謂、危険性を有する紐がウェアのあちこちブラブラしている状態をなくすことが可能で、ウェアのデザインをシンプルで優れたものにすることができた。
【００２８】
また、本考案はスポーツウェアの縁部の締付け、或いは絞り操作を行う機構として、ウェアの縁部近傍位置に設置され外部から摺動操作のできるファスナーや止水ファスナーを採用して、該ファスナーの摺動操作にてウェアに内蔵された紐部を引っぱり、または緩める構成となし、該ファスナーの摺動操作にて縁部の締付けや絞り操作を行うもので、例えば、本考案はウエスト廻り部の締め付けやフードの絞りとして用いて、ウェアの外部に延出する紐を無くすことができ、該締付け用紐や絞込み用紐が、リフトの乗降時にリフトやその他の機材に引っかけて思わぬ事故を起こすことを防止することができた。
【考案を実施するための最良の形態】
【００２９】
斯くして、本考案は、スポーツウェア、特にスキーウェアにおけるフード、袖、裾、ウエスト等、縁部の締付けや、絞り構造に関するものであるが、本考案は、スポーツウェアのみならず、一般的なウェア、外套、防寒具、ジャンパー、コート等にも採用でき、それらは、電車、車の乗降時や人混みの中でも、ウェアの外部に延出した縁部の締付け、或いは絞り紐を引っかけて思わぬ事故が起きることを防止するものである。
【００３０】
そして、本考案の実施例は、ウェアにおけるフード、袖、裾、ウエストの縁部を締付け、或いは絞るための紐部において、該紐部は前記縁部を構成する生地の内部に通されて縁部周りに内蔵されており、該紐部の両端部はウェアの縁部近傍位置に設置され外部から摺動操作のできる溝やレールによるスライダー構造体にそれぞれ連結されていて、前記縁部に内蔵された紐部の両端をそれぞれスライダー構造体の摺動操作にて引っぱり、または緩めることにより縁部の締付けや絞り操作、並びに前記締付けや絞り操作の解放を行う構成とすることが好ましい。
【００３１】
また、本考案の実施例は、ウェアにおけるフード、袖、裾、ウエストの縁部を締付け、或いは絞るための紐部において、該紐部は前記縁部を構成する生地の内部に通されて縁部周りに内蔵されており、該紐部の一端部はウェア生地の縁部近傍に縫着され他端は縁部近傍位置に設置され外部から摺動操作できる溝やレールによるスライダー構造体に連結されていて、前記縁部に内蔵された紐部の一端部をスライダー構造体の摺動操作にて引っぱり、または緩めることにより前記縁部の締付けや絞り操作、並びに前記締付けや絞り操作の解放を行う構成とすることも好ましい。
【００３２】
更に、本考案の他の実施例では、ウェアにおけるフード、袖、裾、ウエストの縁部を締付け、或いは絞るための紐部、該紐部の両端部は縁部の終了点近傍でウェア生地に縫着されていると共に、該紐部は縁部を構成する生地の内部に通されて縁部周りに内蔵されており、該紐部の中心部において外部から摺動操作できるスライダー構造体に連結されていて、前記縁部に内蔵された紐部の中心部をスライダー構造体の摺動操作にて引っぱり、または緩めることにより前記縁部の締付けや絞り操作、並びに前記締付けや絞り操作の解放を行う構成とすることも、また好ましい実施例となる。
【００３３】
斯くして、上記本考案の実施にあたり、紐部の両端部、或いは一端部に連結され、ウェアに内蔵された紐部を外部から摺動操作のできる溝やレールによるスライダー構造体とは、具体例として、市販のファスナーや止水ファスナー採用することができる。
【実施例１】
【００３４】
図１乃至図３は本発明の実施例１を説明するもので、図１はスキーウェアのフード部分を説明する正面図、図2は同じくフード部分を示す側面図、図３は図１並びに図２において説明した実施例１の動作を説明する側面図である。
【００３５】
図1乃至図３において、１はウェア上衣に設けられたフード本体、２はフードを構成する生地、３はフードの縁部、４はフード絞り込み用紐部であり、該フード絞り込み用紐部４はフードの縁部３に沿って縫製された生地２内に内蔵されており、フードの縁部３の略中間部５ａ、５ｂで生地２に縫着されている。
【００３６】
また、６ａ、６ｂはフード絞り込み用紐部４の両端部を構成する端部、７はフードの縁部周り、８ａ、８ｂはフードの縁部３近傍位置で生地２の外部側に縫製されて設置されたファスナー（スライダー構造体の一具体例）、９ａ、９ｂはファスナーのスライダー胴体を示しており、前記ファスナー８ａ、８ｂは引き手１０ａ、１０ｂにより外部から摺動操作のできるファスナーを構成している。
【００３７】
そして、前記生地２に縫着されたフード絞り込み用紐部４の端部６ａ、６ｂはそれぞれ前記縁部３を構成する生地２の内部に通されて縁部周り７に内蔵されており、該フード絞り込み用紐部４の端部６ａ、６ｂの先端部はウェアの縁部近傍位置に設置され外部から摺動操作のできるファスナー８ａ、８ｂのスライダー胴体９ａ、９ｂにそれぞれ連結されていている。
【００３８】
而して、実施例１の構成は、ウェアにおけるフードの縁部３を締付け、或いは絞るための紐部４を設け、該紐部４は前記フードの縁部３を構成する生地２の内部に通されて縁部周り７内に内蔵されており、該紐部４の両端部を構成する端部６ａ、６ｂはフードの縁部３近傍位置に設置され外部から摺動操作のできるファスナー８ａ、８ｂのスライダー胴体９ａ、９ｂにそれぞれ連結されていて、前記フードの縁部３に内蔵された紐４の両端をそれぞれファスナー８ａ、８ｂの引き手１０ａ、１０ｂによる摺動操作にて引っぱり、または緩めることによりフードの縁部３の締付けや絞り操作を行うように構成した。
【００３９】
図３は、図１並びに図２において説明した実施例１の動作を説明する側面図で、片側で例えばファスナー８ａの引き手１０ａを下方に引き下げると、ファスナー８ａのスライダー胴体９ａは紐部４の端部６ａに連結されており、ファスナー８ａのスライド行程分だけ前記紐部４の略中間部５ａからスライダー胴体９ａ間の距離を縮めることになる。
【００４０】
従って、フード本体１のフードの縁部３は、想像線にて示す元の縁部３の状態から図３の如く締付けや絞りを加えた状態となる。そして、図３の状態で、ファスナー８ａにおける引き手１０ａの位置は、スライダー胴体９ａとファスナー８ａ間の抵抗で保持され、または、積極的にスライダー胴体９ａに停止爪等を設けたファスナー自動停止機構が付いているファスナーを採用することにより、任意にファスナー８ａの摺動操作並びに任意位置にてファスナーの自動停止が行え、紐部４を引っぱり、または緩めることによりフードの縁部３の締付けや絞り操作を自由におこなえるように構成した。
【実施例２】
【００４１】
図４は本考案の実施例２を説明するもので、図４は例えば、スキーウェアの上衣におけるウエスト部分を示す拡大図で、一部に内部構造が理解できるよう生地の表面を破断した部分を設けている説明図である。
【００４２】
而して、実施例２において、１１はウェア下部を示しており、該ウェア下部１１に設けられたウエストの縁部１２はウェアのウエスト部を締付け、或いは絞り込む場合の実施例を示している。
【００４３】
図４において、１３は前記ウエストの縁部１２を構成する生地、１４はウエスト縁部締め付け用紐であり、該ウエスト縁部締め付け用紐１４は帯状のゴム紐１５に一端を縫着され、他端はファスナー８のスライダー胴体９に連結されている。
尚、前記ゴム紐１５は、例えば、ウエストの縁部１２を一周して縫着部１６として生地１３に縫着されている。
【００４４】
また、８は前記にウエストの縁部１２に設置されたファスナー（スライダー構造体の一具体例）、９はファスナーのスライダー胴体を示しており、前記ファスナー８は引き手１０により外部から摺動操作のできるファスナー８を構成している。
【００４５】
而して、実施例２は、ウェアにおけるウエストの縁部１２を締付け、或いは絞るための紐部１４を設け、該紐部１４は前記ウエストの縁部１２を構成する生地１３の内部に通されてウエストの縁部周りに１２内蔵されており、該紐部１４の一端部は、例えばゴム紐１４を介してウエストの縁部１２を一周し、縫着部１６にて縫着され、他端は外部から摺動操作できるファスナー８のスライダー胴体９に連結されており、前記ウエストの縁部１２に内蔵された紐部１４の一端部をファスナー８の摺動操作にて引っぱり、或いは緩めることにより前記ウエストの縁部１２の締付けや絞り操作を行うように構成している。
【００４６】
尚、実施例２においても、積極的にスライダー胴体９に停止爪等を設けたファスナー自動停止機構が付いているファスナー８を採用することにより、任意にファスナー８の摺動操作、並びに任意位置にてファスナーの自動停止が行え、紐部１４を引っぱり、または緩めることによりウエストの縁部１２の締付けや絞り操作を自由に行うようにすることはいうまでもない。
【００４７】
また、前記実施例１においては、フードの縁部３を締付け、或いは絞るための紐部４は断面丸形状または帯形状の紐を用いた。そして、実施例２においては、ウエストの縁部１２に断面丸形状または帯形状のウエスト縁部締め付け用紐部１４と、断面丸形状または帯形状のゴム紐１８を用いている。
【実施例３】
【００４８】
図５は本考案の実施例３を説明するもので、図４スキーウェアのフードを示す平面図、即ち、頭部を上から見た場合を図示しており、図５の下方は顔面方向である。
【００４９】
図５において、１はウェア上衣に設けられたフード本体、２はフードを構成する生地、３はフードの縁部、４はフード絞り込み用紐部であり、該フード絞り込み用紐部４はフードの縁部３に沿って縫製された生地２内に内蔵されており、フード絞り込み用紐部４はフードの端部１７ａ、１７ｂで生地２にそれぞれ内部で縫着されている。
【００５０】
また、８はフード本体１の上部から後頭部にかけて設置されたファスナー８であり、該ファスナー８はスライダー胴体９と引き手１０を有している。
【００５１】
而して、前記フード絞り込み用紐部４の中心部１８はファスナー８のスライダー胴体９に連結されており前記ファスナー８は引き手１０により外部から摺動操作することで、フード絞り込み用紐部４の締付け、或いは絞り込みをできるファスナー８を構成している。
【００５２】
実施例３は、ウェアにおけるフードの縁部３を締付け、或いは絞るための紐部４を設け、該紐部４の両端部はフードの端部１７ａ、１７ｂで生地２にそれぞれ縫着されていると共に、該紐部４はフードの縁部３を構成する生地の内部に通されて縁部周り７に内蔵されており、該紐部４の中心部において外部から摺動操作できるファスナー８のスライダー胴体９に連結されていて、前記フードの縁部３に内蔵された紐部４の中心部１８をファスナー８の摺動操作にて引っぱり、または緩めることにより前記フードの縁部３の締付けや、絞り操作を行うように構成されている。
【実施例４】
【００５３】
図６は本考案の実施例４を説明するもので、図６はフード部分を示す左側面図で同様の構成を右側面図にも有するが該部分は省略する。
【００５４】
図５において、１はウェア上衣に設けられたフード本体、２はフードを構成する生地、３はフードの縁部、４はフード絞り込み用紐部であり、該フード絞り込み用紐部４はフードの縁部３に沿って縫製された生地２内に内蔵されており、フードの縁部３の略中間部５ａで生地２に縫着されている。
【００５５】
また、６はフード絞り込み用紐部４の両端部を構成する端部、７はフードの縁部周り、８は生地２の外部側に縫製されて設置されたファスナー、９はファスナーのスライダー胴体を示しており、前記ファスナー８は引き手１０により外部から開閉操作のできるファスナーを構成している。
【００５６】
そして、前記生地２に縫着されたフード絞り込み用紐部４の端部６は前記縁部３を構成する生地２の内部に通されて縁部周り７に内蔵されており、該フード絞込み用の紐部４の端部６ａ、６ｂの先端部はウェアの縁部近傍位置に設置され外部から摺動操作のできるファスナー８ａ、８ｂのスライダー胴体９ａ、９ｂにそれぞれ連結されていている。
【００５７】
斯くして、前記フードの縁部３に内蔵された紐部４の一端部、または両端部をファスナーの摺動操作にて引っぱり、または緩めることにより前記フードの縁部３の締付けや絞り操作、並びに該操作の解放を行うに際して、実施例４は、ファスナー８の設置位置を前記紐部４の引っぱり、または緩める方向に対して少なくとも９０度以上その方向を変えて設置することが好ましい。
【００５８】
即ち、生地２を平面と仮定して、該平面上でファスナー設置位置を９０度以上その方向を変えて設置すれば、図６の如く前記紐部４の引っぱり行程を生地２内で最大限大きくとることができるものである。
【産業上の利用可能性】
【００５９】
本考案はスポーツウェアの縁部の締付け、或いは絞り操作を行う機構として、ウェアの縁部近傍位置に設置され外部から摺動操作のできるスライダー構造体、即ち、ファスナーを採用して、該ファスナーの摺動操作にてウェアに内蔵された紐を引っぱり、または緩める構成となし、該ファスナーの摺動操作にて縁部の締付けや絞り操作を行うもので、例えば、本考案はウエスト廻り部の締め付けやフードの絞り構造として用いて、ウェアの外部に延出する紐を無くすことができ、該ウェアの外部に延出する紐を無くすことで、リフトの乗降時にリフトやその他の機材に引っかけて思わぬ事故を起こすことを防止することができる等、その産業上の利用価値は多大なものがある。
【図面の簡単な説明】
【００６０】
【図１】本考案の実施例１を説明する正面図である。
【図２】本考案の実施例１を説明する側面図である。
【図３】本考案の実施例１を示す側面図で動作の説明図である。
【図４】本考案の実施例２を説明する正面図である。
【図５】本考案の実施例３を説明する平面図である。
【図６】本考案の実施例４を説明する側面図である。
【図７】従来例を説明する正面図である。
【図８】他の従来例を説明する側面図である。
【符号の説明】
【００６１】
１  フード本体
２  生地
３  フードの縁部
４  フード絞り込み用紐部
５ａ、５ｂ  フード縁部の略中間点
６、６ａ、６ｂ  端部
７  縁周り
８、８ａ、８ｂ  ファスナー
９、９ａ、９ｂ  スライダー胴体
１０、１０ａ、１０ｂ  引き手
１１  ウェア下部
１２  ウエストの縁部
１３  縁部を構成する生地
１４  ウエスト縁部締め付け用紐部
１５  ゴム紐
１６ａ、１６ｂ  フードの端部
１７  紐の中心部
５０  スキーウェア本体
５１  上衣
５２  フード
５３  ウエスト周り部
５４  締付け用紐
５５  生地
５６  左身頃端部
５７  右身頃端部
５８ａ、５８ｂ  両端部
５９  フード縁部
６０  フード絞り込み用紐部
６１ａ、６１ｂ  フード絞り込み用紐部両端部
６２ａ、６２ｂ  フードの下方端部
６３ａ、６３ｂ  ストッパー
６４ａ、６４ｂ  襟元部
６５ａ、６５ｂ  係止具
６６ａ、６６ｂ  プッシュボタン
６７ａ、６７ｂ  取付用平紐
６８  たるみ紐
【図１】
0003141180.tif 000003
【図２】
0003141180.tif 000004
【図３】
0003141180.tif 000005
【図４】
0003141180.tif 000006
【図５】
0003141180.tif 000007
【図６】
0003141180.tif 000008
【図７】
0003141180.tif 000009
【図８】
0003141180.tif 000010